(57)【特許請求の範囲】
【請求項１】
無線通信システムにおけるユーザー機器側の電子機器であって、
複数のユーザー機器へデータ及び／又は制御情報を直接送信するように、前記複数のユーザー機器とセルラー通信プロトコルでのデバイス−デバイス間のＤ２Ｄ通信を行い、
前記複数のユーザー機器のうち、第１のユーザー機器、及び前記第１のユーザー機器がＤ２Ｄ通信を行う候補対象である第２のユーザー機器に、前記第１のユーザー機器と前記第２のユーザー機器との間でＤ２Ｄ通信を行うためのリソースと変調符号化スキームＭＣＳとを配置するように配置されている回路を含み、
前記回路は、さらに、前記リソースと前記ＭＣＳを指示する情報を、前記第１のユーザー機器及び前記第２のユーザー機器に送信するように配置され、
前記回路は、さらに、前記第１のユーザー機器から、前記第１のユーザー機器と前記第２のユーザー機器との間のリンク品質を指示する指示情報を受信するように配置されており、前記指示情報が指示するリンク品質が予定条件を満足する場合に、前記回路は、さらに、前記第１のユーザー機器と前記第２のユーザー機器との間にＤ２Ｄ通信を行うためのリソースとＭＣＳとを配置するように配置され、
前記回路は、さらに、前記第１のユーザー機器から、前記第１のユーザー機器と第３のユーザー機器との間のリンク品質を指示する指示情報を受信するように配置されており、前記予定条件は、少なくとも、前記第１のユーザー機器と前記第２のユーザー機器との間のリンク品質が前記第１のユーザー機器と前記第３のユーザー機器との間のリンク品質よりも良いことを含む、電子機器。
【請求項２】
前記回路は、さらに、
前記第１のユーザー機器が前記第２のユーザー機器とＤ２Ｄ通信を行うことを指示する切替要求情報を、基地局デバイスに送信し、
前記基地局デバイスから、前記第１のユーザー機器と前記第２のユーザー機器との間のＤ２Ｄ通信のためのリソース割り当て情報を含む切替要求確認情報を受信し、
少なくとも前記切替要求確認情報に基づいて配置を行うように配置されている請求項１に記載の電子機器。
【請求項３】
前記回路は、さらに、予定のＤ２Ｄ通信リソースプールからリソースを選択して配置を行うように配置されている請求項１に記載の電子機器。
【請求項４】
前記回路は、さらに、前記第１のユーザー機器及び／又は前記第２のユーザー機器から、前記第３のユーザー機器が前記第１のユーザー機器と前記第２のユーザー機器のブロードキャスト情報ソースであることを指示する情報を受信するように配置されており、
前記回路は、さらに、前記予定条件を満足する場合に、前記第１のユーザー機器と前記第２のユーザー機器とがユニキャストＤ２Ｄ通信を行うことを特定し、前記第１のユーザー機器から、前記第１のユーザー機器と前記第３のユーザー機器との伝送フレーム番号ステータスを受信するとともに、前記第１のユーザー機器が前記第２のユーザー機器から前記第３のユーザー機器のブロードキャスト情報を受け取り続けるように、前記伝送フレーム番号ステータスを前記第２のユーザー機器に送信するように配置されている請求項１に記載の電子機器。
【請求項５】
前記回路は、前記第１のユーザー機器と前記第２のユーザー機器とのＤ２Ｄ通信を行うためのハイブリッド自動再送要求ＨＡＲＱをさらに配置し、関連するＨＡＲＱ配置情報を、前記第１のユーザー機器及び前記第２のユーザー機器に送信する請求項１に記載の電子機器。
【請求項６】
前記回路は、さらに、前記第１のユーザー機器に前記第２のユーザー機器にアクセスするためのＤ２Ｄ通信接続支援情報を配置し、前記Ｄ２Ｄ通信接続支援情報を前記第１のユーザー機器に送信するように配置されている請求項１に記載の電子機器。
【請求項７】
前記回路は、さらに、ＲＲＣシグナリングにより、前記リソースと前記ＭＣＳとを指示する情報を、前記第１のユーザー機器及び前記第２のユーザー機器に送信するように配置されている請求項１に記載の電子機器。
【請求項８】
無線通信システムにおけるユーザー機器側の電子機器であって、
第１のユーザー機器から、前記電子機器と第２のユーザー機器との間にセルラー通信プロトコルでのＤ２Ｄ通信を行うためのリソースと変調符号化スキームＭＣＳを指示する情報を受信し、
前記ＭＣＳ情報に基づいて、伝送待ちデータに対して変調・符号化を行うように配置されている回路を含み、
前記回路は、さらに、前記Ｄ２Ｄ通信を行うように、変調・符号化された伝送待ちデータを、前記リソースにより前記第２のユーザー機器に送信するように配置され、
前記回路は、さらに、
前記電子機器と前記第２のユーザー機器との間のリンク品質を測定し、
前記リンク品質の指示情報を前記第１のユーザー機器に送信するように配置され、
前記電子機器は、前記第２のユーザー機器とＤ２Ｄ通信を行う前に、第３のユーザー機器とＤ２Ｄ通信を行い、
前記回路は、さらに、前記電子機器と前記第３のユーザー機器との間のリンク品質を測定し、前記リンク品質の指示情報を前記第１のユーザー機器に送信するように配置されている、電子機器。
【請求項９】
前記回路は、さらに、前記第１のユーザー機器から、前記電子機器と前記第２のユーザー機器との間のリンク品質を測定するための測定配置情報と、前記電子機器と前記第２のユーザー機器との間のＤ２Ｄ通信のためのハイブリッド自動再送要求ＨＡＲＱ配置情報と、前記第２のユーザー機器にアクセスするＤ２Ｄ通信接続支援情報との少なくとも一つを受信するように配置されている請求項８に記載の電子機器。
【請求項１０】
前記回路は、さらに、
前記第２のユーザー機器にアクセスするように、前記Ｄ２Ｄ通信接続支援情報を前記第２のユーザー機器に送信し、
前記第２のユーザー機器から、伝送待ちデータに対するスケジューリング計画及びタイミングアドバンスの少なくとも一つを含むアクセス応答を受信し、
アクセス応答を受信した後、前記第１のユーザー機器へ、前記第２のユーザー機器とのＤ２Ｄ通信の確立に成功した確認情報を送信するように配置されている請求項９に記載の電子機器。
【発明の詳細な説明】
【技術分野】
【０００１】
本開示は、無線通信分野に関し、具体的には、無線通信システムにおけるユーザー機器側の電子機器と無線通信システムにおいて無線通信を行うための方法に関する。
【背景技術】
【０００２】
この部分は本開示に関する背景情報を提供しており、必ずしも先行技術ではない。
【０００３】
Ｄ２Ｄ（Device-to-Device：デバイス−デバイス間）通信技術とは、セルラー通信ＵＥ（User  Equipment：ユーザー機器）が端末間直接通信にてデータ交換を直接に行う情報伝送方式を指す。Ｄ２Ｄ通信は、従来のセルラー通信に比べて、スペクトルリソースを多重化し、伝送距離が短く、情報が基地局を介さずに中継されるので、Ｄ２Ｄ通信はスペクトル利用率を増加し、ＵＥ送信電力及び基地局負荷を低減することが可能となる。Ｄ２Ｄ通信を行っているＤＵＥ(Device-to-Device  User  Equipment)がＤ２Ｄ通信モードから従来のセルラー通信モードに切り替える必要がある場合に、その切替フローの設計とかかるシグナリングは現在標準化の仕事にカバーされていない一部である。しかしながら、このような通信モードの切り替えは、従来のＵＥが一つの基地局から他の一つの基地局に切り替える切替メカニズムと異なり、一つのＵＥの通信目標がＵＥから基地局に切り替えることに反映され、一種の非従来の通信モードから従来の通信モードに切り替えるので、このメカニズムでの切替フローは特定の場合に応じて一定の規範と設計を行う必要があり、シグナリングのオーバーヘッドを最大に減らすとともに、切替フローの合理性と依頼性を保証する。
【０００４】
また、Ｄ２Ｄブロードキャストは現在の３ＧＰＰ（３rd  Generation  Partnership  Project：第３世代パートナーシップ・プロジェクト）ＲＡＮ１（Radio  Access  Network：無線アクセスネットワーク）の重要な焦点であり、主に公共セキュリティ分野に用いられる。Ｄ２Ｄブロードキャストは、点対多点の通信であり、ソースＤＵＥはブロードキャストサービスを提供するブロードキャストソースＵＥであり、それが残りのＤＵＥに同じ情報を提供し、且つ一般にＵＥフィードバック情報を受信する必要がない。特定の要因の影響によって、Ｄ２Ｄブロードキャストリンクの品質が悪くなり、且つＤＵＥのサービスニーズを受信することを満足しない場合に、Ｄ２Ｄ通信はブロードキャストモードから他のモードに切り替えて情報受信の完全性を保証する必要がある。しかしながら、先行技術においてまだＤ２Ｄ通信がブロードキャストモードから他のモードに切り替える具体的なフロー及び方案を検討せず、例えば、フィードバック情報がない場合に、どちらの実体によりトリガーするか及び如何に前記モード切替をトリガーするかのことである。幾つかの既知の研究において、一定の距離条件を満足する複数のＤＵＥに通信ニーズがある際に、ＵＥクラスタを構築することが可能である。Ｄ２Ｄ通信クラスタの優勢は一定の集中制御性に反映されており、即ち、基地局がクラスタ内の少量のＵＥと従来のリンクを保持するだけで、クラスタ全体はいずれも基地局と従来のリンクを保持するのと等価であるようにすることが可能である。ＤＵＥクラスタにおいて、その中の一つのＤＵＥをクラスタヘッド（Cluster  Head）に設置し、クラスタヘッドは基地局間との従来のリンク接続を保持し、基地局からの情報を転送することを担当する。ＤＵＥクラスタ内では、クラスタヘッド以外のノードはスレーブＤＵＥと称される。スレーブＤＵＥとセルラーセル基地局との間に接続リンクがない又は有限の通信のみを行い、例えば、ＬＴＥ-ＤＥＴＡＣＨED状態にある。全てのＵＥがいずれも基地局とリンク接続を保持することに比べて、スレーブＤＵＥと基地局との間が接続無しの状態にある又は有限の通信を行う際に、インタラクティブシグナリングは大幅に低減される。当該通信モードは未来の高速、集中的なセル設置の通信の場合だけでなく、同時に公共セキュリティ分野の場合の考慮に適用する。しかしながら、クラスタヘッドの具体的な機能、及びＤ２Ｄ通信において参与する必要がある操作とそのスレーブＤＵＥの相応する操作については、さらに規範と設計を要する。
【発明の概要】
【発明が解決しようとする課題】
【０００５】
この部分は本開示の一般的な概要を提供し、その全部の範囲又はその全部の特徴の完全な公開ではない。
【０００６】
本開示は、クラスタヘッドの支援作用を明確にし、且つ強化させるために、無線通信システムにおけるユーザー機器側の電子機器と無線通信システムにおいて無線通信を行うための方法を提供することで、以上言及された技術的問題の少なくとも一つを解決することを目的とする。
【課題を解決するための手段】
【０００７】
本開示の一局面によれば、無線通信システムにおけるユーザー機器側の電子機器を提供し、当該電子機器は、複数のユーザー機器へデータ及び／又は制御情報を直接送信するように、前記複数のユーザー機器とセルラー通信プロトコルでのデバイス−デバイス間のＤ２Ｄ通信を行い、前記複数のユーザー機器のうち、第１のユーザー機器、及び前記第１のユーザー機器がＤ２Ｄ通信を行う候補対象である第２のユーザー機器に、前記第１のユーザー機器と前記第２のユーザー機器との間にＤ２Ｄ通信を行うためのリソースと変調符号化スキームＭＣＳとを配置するように配置されている回路を含み、前記回路は、さらに、前記リソースと前記ＭＣＳとを指示する情報を、前記第１のユーザー機器及び前記第２のユーザー機器に送信するように配置されている。
【０００８】
本開示のその他の一局面によれば、無線通信システムにおけるユーザー機器側の電子機器を提供し、当該電子機器は、第１のユーザー機器から、前記電子機器と第２のユーザー機器との間にセルラー通信プロトコルでのＤ２Ｄ通信を行うためのリソースと変調符号化スキームＭＣＳを指示する情報を受信し、前記ＭＣＳ情報に基づいて、伝送待ちデータに対して変調と符号化を行うように配置されている回路を含み、前記回路は、さらに、前記Ｄ２Ｄ通信を行うように、変調符号化された伝送待ちデータを、前記リソースにより前記第２のユーザー機器に送信するように配置されている。
【０００９】
本開示のその他の一局面によれば、無線通信システムにおけるユーザー機器側の電子機器を提供し、当該電子機器は潜在的なセルリストに含まれる基地局デバイスを測定し、前記測定ユニットの測定結果に基づいて、デバイス−デバイス間のＤ２Ｄ通信を行うユーザー機器クラスタにおけるユーザー機器に目標基地局デバイスを予測するように配置されている回路とを含む。
【００１０】
本開示のその他の一局面によれば、無線通信システムにおいて無線通信を行うための方法を提供し、当該方法は、複数のユーザー機器へデータ及び／又は制御情報を直接送信するように、前記無線通信システムにおけるユーザー機器側の電子機器により、前記複数のユーザー機器とセルラー通信プロトコルでのデバイス−デバイス間のＤ２Ｄ通信を行い、前記複数のユーザー機器における第１のユーザー機器と前記第１のユーザー機器がＤ２Ｄ通信を行う候補対象である第２のユーザー機器に、前記第１のユーザー機器と前記第２のユーザー機器との間にＤ２Ｄ通信を行うためのリソースと変調符号化スキームＭＣＳとを配置し、前記リソースと前記ＭＣＳとを指示する情報を、前記第１のユーザー機器及び前記第２のユーザー機器に送信することを含む。
【００１１】
本開示のその他の一局面によれば、無線通信システムにおいて無線通信を行うための方法を提供し、当該方法は、前記無線通信システムにおけるユーザー機器側の電子機器により、第１のユーザー機器から、前記電子機器と第２のユーザー機器との間にセルラー通信プロトコルでのＤ２Ｄ通信を行うためのリソースと変調符号化スキームＭＣＳとを指示する情報を受信し、前記ＭＣＳ情報に基づいて、伝送待ちデータに対して変調・符号化を行い、前記Ｄ２Ｄ通信を行うように、変調・符号化された伝送待ちデータを、前記リソースにより前記第２のユーザー機器を送信することを含む。
【００１２】
本開示のその他の一局面によれば、無線通信システムにおいて無線通信を行うための方法を提供し、当該方法は、無線通信システムにおけるユーザー機器側の電子機器により、潜在的なセルリストに含まれる基地局デバイスを測定し、測定された結果に基づいて、デバイス−デバイス間のＤ２Ｄ通信を行うユーザー機器クラスタにおけるユーザー機器に目標基地局デバイスを予測することを含む。
【００１３】
本開示による無線通信システムにおけるユーザー機器側の電子機器と、無線通信システムにおいて無線通信を行うための方法を使用することで、クラスタヘッドの支援作用が明確になり、増強される。幾つかの特殊な場合について、例えば、Ｄ２Ｄ通信過程で従来のセルラーネットワークとLTE（Long Term Evolution：ロング・ターム・エボリューション）リンクがないスレーブDUEに対して、Ｄ２Ｄ通信モードから従来のセルラー通信モードに切り替えられる場合に、クラスタヘッドの支援作用は切替速度を向上させ、且つシグナリングオーバーヘッドを減少させることを保証することができる。また、例えばＤ２Ｄブロードキャスト又はマルチキャストの場合において、クラスタヘッドの支援機能は、Ｄ２Ｄブロードキャスト又はマルチキャストモードからユニキャスト通信モードへの切替フローをスムーズに完了することを助けることができる。
【００１４】
ここで提供する記述から、更なる適用性領域が明らかになる。この概要における記述と特定の例は、あくまでも例示的の目的であり、本開示の範囲を限定するものではない。
【図面の簡単な説明】
【００１５】
ここで記述する図面はあくまでも選択された実施例の目的であり、全部の可能な実施ではなく、且つ本開示の範囲を限定するものではない。図面において：
【図１】本開示の実施例による、Ｄ２ＤブロードキャストモードからＤ２Ｄユニキャストモードへの切り替えの場合を図示する模式図である。
【図２】本開示の一実施例による、ユーザー機器の構成を図示するブロック図である。
【図３】本開示の他の一実施例による、ユーザー機器の構成を図示するブロック図である。
【図４】本開示の一実施例による、無線通信システムにおいて通信モード切替を行うための方法を図示するシーケンス図である。
【図５】本開示の他の一実施例による、無線通信システムにおいて通信モード切替を行うための方法を示すシーケンス図である。
【図６】発明者が知っているＤ２Ｄ通信モードからセルラー通信モードへの切り替えの場合を図示する模式図である。
【図７】本開示の他の一実施例による、ユーザー機器の構成を図示するブロック図である。
【図８】本開示の他の一実施例による、無線通信システムにおいて通信モード切替を行うための方法を図示するシーケンス図である。
【図９】本開示の一実施例による、無線通信システムにおいて通信モード切替を行うための方法を実現することが可能な汎用のパソコンの例示的構成ブロック図である。
【００１６】
本開示は容易に様々な修正及び置換形式に供するが、その特定の実施例は既に例として図面に示され、ここで詳細に記述する。しかしながら、ここで特定の実施例に対する記述は本開示を開示される具体的な形式に限定するものではなく、逆に、本開示の目的は本開示の精神と範囲に入る全ての修正、等価、置換をカバーすることであることが理解されるべきである。注意することは、幾つかの図面にわたって、相応する符号が相応する部品を指す。
【発明を実施するための形態】
【００１７】
以下、図面を参照して本開示の例をより十分に記述する。以下の記述は実際に例示的なものであり、本開示、応用又は用途を限定するものではない。
【００１８】
本開示を詳しくするために、例示実施例を提供し、そして、当業者にその範囲を十分に伝える。多くの特定の細部、例えば、特定の部品、装置及び方法の例を述べて、本開示の実施例の詳しい理解を提供する。当業者にとって、特定の細部を使用する必要がなく、例示実施例は多い異なる形態にて実施され、これらはいずれも本開示の範囲を限定すると理解されるべきではないのは自明なことである。幾つかの例示実施例において、よく知られているプロセス、よく知られている構成及びよく知られている技術を詳細に記述しない。
【００１９】
本開示は、無線通信ネットワークにおけるＤ２Ｄ（Device-to-Device：デバイス−デバイス間）通信に関するものである。本開示にかかるＵＥ（User  Equipment：ユーザー機器）は移動端末、コンピューター、車載デバイスなどの無線通信機能を有する端末を含むが、これらに限定されるものではない。さらに、本開示にかかるＵＥはＵＥそのもの、又はその中の部品例えばチップであってもよい。また、本開示にかかる基地局は、例えば、ｅＮｏｄｅＢ又は、ｅＮｏｄｅＢにおける部品例えばチップであってもよい。
【００２０】
図１には、本開示の実施例による、Ｄ２ＤブロードキャストモードからＤ２Ｄユニキャストモードへの切り替えの場合を示している。
【００２１】
図１に示すように、一つのＤ２Ｄブロードキャストグループ内において、ソースＤＵＥ（Ｄ２Ｄ  User  Equipment：Ｄ２Ｄユーザー機器）は残りのＤＵＥ（即ちＤＵＥ１、ＤＵＥ２、ＤＵＥ３）へ情報をブロードキャストする。ＤＵＥ２のブロードキャストリンクが悪くなり（例えばＤＵＥ２がソースＤＵＥから離れた位置に移動する）、情報伝送品質を保証できない場合に、現在のＤ２Ｄブロードキャストモードから他の通信モードに切り替える必要がある。ＤＵＥがＤ２Ｄブロードキャストモードから従来のセルラーモードに切り替えることはその基本的な通信ニーズ（基地局によりソースＤＵＥと連続する通信を行う又は基地局により他の近隣のＤＵＥと通信する）を保証し得る。しかしながら、当該切替プロセスは、多くのシグナリングオーバーヘッドにつながる。本開示の発明者は、ＤＵＥ２がＤ２Ｄブロードキャストモードから他のＤＵＥとのユニキャスト通信モードに切り替えると、基本的な通信ニーズが同様に満たされることができると考えている。例えば、ＤＵＥ２が依然としてソースＤＵＥが送信したブロードキャスト情報を知る必要がある場合に、既に当該ブロードキャスト情報が知られたＤＵＥ１とのユニキャスト通信に切り替えて当該情報を受け取ってもよいし、ＤＵＥ２の上位層アプリが当該ブロードキャスト情報を懸念しない場合に、他のＤＵＥ例えばＤＵＥ４とのユニキャスト通信に狙い通りに切り替えてもよい。従来のセルラーモードに切り替えることに比べて、切替時間とシグナリングとは多く削減される。
【００２２】
図１に示す場合において、ＤＵＥ１と、ＤＵＥ２と、ＤＵＥ４と、ＤＵＥ５とは一つのＤＵＥクラスタを構成する。この一つのクラスタにおいて、ＤＵＥ５はＣＨ（Cluster  Head：クラスタヘッド）となる。本発明のクラスタヘッドはクラスタ内の、ネットワーク側とのリンクを保持するＤＵＥであり、クラスタ内のメンバーを支援してＤ２Ｄ通信モード切替を行うことができる。
【００２３】
図１には、さらにブロードキャストソースＤＵＥが存在し、それはＤ２Ｄブロードキャスト通信においてブロードキャスト情報を送信するＤＵＥである。その他のＤＵＥ、例えばＤＵＥ１と、ＤＵＥ２と、ＤＵＥ３とはＤ２Ｄブロードキャスト通信においてブロードキャスト情報を受信するＤＵＥである。また、例えば、図１（ｂ）に図示するように、ＤＵＥ４のようなＤＵＥは新目標ＤＵＥと称されてもよく、例えばＤＵＥ２のようなＤＵＥのためにＤ２Ｄユニキャスト通信する際の通信対象を構成する。
【００２４】
図１に示す場合は単なる例として、本開示はこれに限定されるものではない。例えば、ソースＤＵＥとクラスタヘッドとは同一のＵＥであってもよい。また、図１に示す場合において基地局、例えばｅＮＢ（evolution  Node  Base  Station：進化型ノード基地局）（図示しない）が存在してもよく、それはＤＵＥ（例えばＤＵＥ２）とクラスタヘッドとが位置するサービスセルであり、新目標ＤＵＥのサービスセルであってもよいし、それではなくてもよく、即ち、新目標ＤＵＥがＤＵＥ（例えばＤＵＥ２）の隣接セルに位置することができる。
【００２５】
本開示の実施例によれば、一つの、Ｄ２Ｄブロードキャスト通信を行っているＤ２Ｄブロードキャストクラスタ（Ｄ２Ｄ  broadcast  cluster）において、一つのクラスタユーザー例えばＤＵＥ２にとって、ＤＵＥ２とＤ２Ｄブロードキャスト通信を行っているソースＤＵＥとの間のリンク品質が変わる場合に、即ち、リンク品質が低下する場合に、ＤＵＥ２はＤ２ＤブロードキャストモードからＤ２Ｄユニキャストモードに切り替えて、その情報受信の完全性と連続性を保証するようにする。同時に、ブロードキャストクラスタユーザーが同一のソースＤＵＥからの情報を受信すると、情報損失などの問題を考慮しないので、理論的には、ブロードキャストクラスタユーザーが同じ情報を得られる。従って、伝送モード切替を行うブロードキャストクラスタユーザーは、それが得たい目標情報が変わるか変わらないかが可能となり、即ち当該ブロードキャストクラスタユーザーにとって、それが当該ブロードキャストクラスタのいずれかのブロードキャストクラスタユーザーとのユニキャスト通信に切り替えることが可能となる。
【００２６】
図２には、本開示の実施例による、ＵＥ２００の構成を示している。この実施例において、ＵＥ２００はクラスタヘッドとしてもよく、図１に示すＤＵＥ５のようである。図２に示すように、ＵＥ  ２００は、通信ユニット２１０と配置ユニット２２０とを含んでもよい。ＵＥ  ２００は、移動端末（例えばスマートフォン、タブレットパソコン（PC）、ノート型PC、携帯型ゲーム端末、携帯型/ウオッチドッグ型移動ルータとデジタル撮像装置）又は車載端末（例えば自動車ナビゲーション装置）として実現されることが可能である。ＵＥ  ２００は、マシンツーマシン（M２M）通信を実行する端末（マシン型通信（MTC）端末とも称される）として実現されることも可能である。また、ＵＥ  ２００は、上記端末における端末ごとに取り付けられた無線通信モジュール（例えば単一のチップを含む集成回路モジュール）であってもよい。
本開示の実施例によれば、ＵＥ２００は処理回路を含んでもよい。さらに、処理回路は、各種のディスクリートの機能ユニットを含んでそれぞれの異なる機能及び／又は操作を実行してもよい。なお、これらの機能ユニットは物理実体又は論理実体であってもよく、異なる呼称のユニットは同一の物理実体により実現される可能性がある。さらに、ＵＥ２００は、一つの処理回路を含んでもよく、複数の処理回路を含んでもよい。また、ＵＥ２００はトランシーバーとしての通信ユニットを含んでもよい。
【００２７】
通信ユニット２１０は、複数のＵＥへデータ及び／又は制御情報を直接送信するように、複数のＵＥ（例えば図１に示すＤＵＥ１、ＤＵＥ２、ＤＵＥ４）とセルラー通信プロトコルでのＤ２Ｄ通信を行うことができる。ここでのセルラー通信プロトコルは、例えばＬＴＥ-Ａ（Long  Term  Evolution  advanced）、ＬＴＥ-Ｕなどであってもよく、本開示は特に限定していない。
【００２８】
配置ユニット２２０は、複数のＵＥのうち第１のＵＥ、例えば図１におけるＤＵＥ２、及び第２のＵＥ、例えば図１におけるＤＵＥ４に、ＤＵＥ２とＤＵＥ４との間にＤ２Ｄ通信を行うためのリソースとＭＣＳ（Modulation  and  Coding  Scheme：変調符号化スキーム）を配置してもよい。ここで、ＤＵＥ４は、ＤＵＥ２がＤ２Ｄ通信を行う候補対象である。
【００２９】
通信ユニット２１０はリソースとＭＣＳとを指示する情報をＤＵＥ２及びＤＵＥ４に送信してもよい。
【００３０】
なお、説明したのは、本発明の一例において、Ｄ２Ｄ通信にデフォルトの専用ＭＣＳがあり、この場合、配置ユニット２２０はＭＣＳを配置しなくてもよい。
【００３１】
なお、指示されるリソースは、例えば物理リソースブロック(physical  resource  blocks，PRB)であり、ＭＣＳ情報は、例えば値の範囲が０〜３１の５ビットのIＭＣＳ(ＭＣＳインデックス値)である。各IＭＣＳは特定の変調方式（例えばQPSK、１６ＱＡＭ、６４ＱＡＭ）に対応し、変調次数（modulation  order）で前記変調方式を表すことが可能であり、IＭＣＳは特定のトランスポートブロックサイズ（transport  block  size，TBS）に対応してもよい。また、幾つかの例において、IＭＣＳはまた特定の冗長バージョン（redundency  version）に対応する。ここで、ＭＣＳインデックス値と、変調次数、トランスポートブロックサイズ及び冗長バージョンとの対応関係はテーブルにて反映され、予めＤＵＥのチップに記憶されてもよい。一つの具体的な例において、Ｄ２Ｄ通信用のＭＣＳインデックス値と、変調次数、トランスポートブロックサイズ及び冗長バージョンとの対応関係テーブルは、既存のＰＵＳＣＨ用のテーブルと同じである。他の一例において、Ｄ２Ｄ通信用のＭＣＳインデックス値の範囲は上記の０〜３１のサブセットであり、例えば値の範囲が１０〜２０に限定されることで、ＤＵＥ間の変調・符号化の複雑さを低減させる。
【００３２】
また、更に説明したいのは、本明細書と付随する特許請求の範囲にかかるそれぞれのユニットは物理実体又は論理実体であってもよく、異なる呼称のユニットは同一の物理実体により実現される可能性がある。例えば、本明細書において、後述される第１送信ユニット、第２の送信ユニットは同じセットのアンテナ、フィルタ、変調復調器などの物理実体により実現されてもよい。
【００３３】
本開示の実施例によれば、クラスタヘッドＤＵＥ５としてのＵＥ  ２００がクラスタ内のＤＵＥ２とＤＵＥ４にＤ２Ｄ通信を行うリソース（及び可能なＭＣＳ）に配置してもよく、これにより、Ｄ２Ｄブロードキャスト又はマルチキャストモードからユニキャスト通信モードに切り替えること、ひいては一つのＤ２Ｄユニキャスト通信対象から他の一つのＤ２Ｄユニキャスト通信対象への切替フローをスムーズに完成するのを助けることが可能となる。
【００３４】
本開示の実施例によれば、通信ユニット２１０は、ＤＵＥ２からＤＵＥ２とＤＵＥ４との間のリンク品質を指示する指示情報、例えばＤＵＥ２が測定されて得られた測定結果を受信してもよい。他の一例において、クラスタヘッドＵＥ２００はＤＵＥ２に対して測定を行い、ＤＵＥ２と他のＤＵＥ、例えばＤＵＥ４との間のリンク品質指示を得る。指示情報が指示するリンク品質が予定条件を満足する場合に、配置ユニット２１０は、ＤＵＥ２とＤＵＥ４との間にＤ２Ｄ通信を行うためのリソースとＭＣＳとを配置してもよい。言い換えれば、配置ユニット２１０はＤＵＥ２とＤＵＥ４との間のリンク品質又はチャネル品質、無線環境（radio  condition）を考慮してリソースとＭＣＳとを配置する。また、配置ユニット２１０は、ＤＵＥ２から現在のサービスＱｏＳ要求、バッファ状態（buffer  status）、干渉状況などの少なくとも一つを受信して前記リソースとＭＣＳとの配置を考慮してもよい。このようにすれば、切替フローをスムーズに行うことを保証することができる。
【００３５】
例えば、クラスタヘッドＤＵＥ５としてのＵＥ  ２００が基地局デバイスのサービス範囲にある場合に、通信ユニットは、ＤＵＥ２がＤＵＥ４とＤ２Ｄ通信を行う切替要求情報を基地局デバイスに送信するとともに、基地局デバイスから切替要求確認情報を受信してもよい。例えば、ＵＥ２００はＤＵＥ２とＤＵＥ４との間のリンク品質が予定条件を満足するかどうかを判断し、満足したと判断された場合に、切替要求情報を基地局デバイスに送信して、システムのオーバーヘッドを低減させる。ここで、切替要求情報は、さらに、ＤＵＥ２から受信したその現在のサービスのＱｏＳ要求、バッファ状態（buffer  status）、干渉状況などの少なくとも一つを含んでもよく、切替要求確認情報は、ＤＵＥ２とＤＵＥ４との間のＤ２Ｄ通信のためのリソース割り当て情報を含んでもよい。この際、配置ユニット２２０は、少なくとも切替要求確認情報に基づいて配置してもよい。一例において、ＵＥ  ２００は切替要求情報を上位層シグナリング、例えばＲＲＣメッセージに含めて基地局デバイスに送信し、相応的に、基地局デバイスはＤＵＥ２とＤＵＥ４との間のＤ２Ｄ通信のためのリソース割り当て情報をＲＲＣメッセージに含めてＵＥ  ２００にフィードバックし、ＵＥ  ２００は上位層で解析してＤＵＥ２とＤＵＥ４との間のＤ２Ｄ通信のためのリソース割り当て情報を抽出する。具体的には、基地局デバイスに位置するスケジューラ（scheduler）は、ＤＵＥ２とＤＵＥ４との間のリンク品質、及びサービスのＱｏＳ要求、バッファ状態、干渉状況などの少なくとも一つに基づいてリソース割り当てを特定する。一例として、基地局デバイスにおいて、Ｄ２Ｄ用のスケジューラを専用的に設置して、半静的にＤ２Ｄユーザーにリソースを割り当てる。
【００３６】
一方、例えばクラスタヘッドＤＵＥ５としてのＵＥ  ２００が基地局デバイスのサービス範囲以外にある場合に、配置ユニット２２０は、予定のＤ２Ｄ通信リソースプールからリソースを選択して配置してもよい。なお、一例において、予定のＤ２Ｄ通信リソースプールは、予めＤ２Ｄ通信を支援するユーザー機器のチップに記憶されている情報、例えば特定の周波数帯域のリソースであり、他の一例において、例えばクラスタヘッドＤＵＥ５としてのＵＥ  ２００が基地局デバイスのサービス範囲にある場合に、予定のＤ２Ｄ通信リソースプールは基地局デバイスで予め指定されたものであり、例えばＲＲＣにより指定され、そして、ＵＥ  ２００は基地局デバイスが再び送信するＲＲＣメッセージを受信することでリソースプール情報を更新してもよい。本例において、ＵＥ  ２００は基地局デバイスの支援がない場合にＤ２Ｄユーザーにリソースを割り当てることが可能であり、クラスタヘッドＵＥ  ２００がさらにその管理する他のＤＵＥ間のＤ２Ｄ通信要求を受信した場合に、配置ユニット２２０がスケジューラとして操作され、当該スケジューラが例えばＲＲＣ層又はＭＡＣ層にて作動し、各グループＤＵＥ間のリンク品質、及びサービスのＱｏＳ要求、バッファ状態、干渉状況などの少なくとも一つに基づいて、リソースプールから各グループＤＵＥ用の通信リソースを特定する。
【００３７】
本開示の実施例によれば、通信ユニット２１０は、ＤＵＥ２から、ＤＵＥ２と、第３のＵＥ、例えば図１に示すソースＤＵＥとのリンク品質を指示する指示情報を受信してもよい。ここでＤＵＥ２とソースＤＵＥとの間に予めにＤ２Ｄブロードキャスト通信を行っていることを仮定する以外、ＤＵＥ２と第３のＵＥとの間に予めにＤ２Ｄユニキャスト通信を行っていることを仮定してもよく、本開示は特に限定していない。とにかく、この場合、以上言及された予定条件は、少なくとも、ＤＵＥ２とＤＵＥ４との間のリンク品質がＤＵＥ２とソースＤＵＥとのリンク品質よりも良いことを含んでもよい。
【００３８】
本開示の実施例によれば、通信ユニット２１０は、さらに、ＤＵＥ２及び／又はＤＵＥ４から、ソースＤＵＥがＤＵＥ２とＤＵＥ４のブロードキャスト情報ソースであることを指示する情報を受信してもよい。この際、予定条件を満足する場合に、配置ユニット２２０は、ＤＵＥ２とＤＵＥ４とがユニキャストＤ２Ｄ通信を行うことを特定して、ＤＵＥ２がＤＵＥ４からブロードキャスト情報を取得し続けるようにする。さらに、通信ユニット２１０は、ＤＵＥ２がＤＵＥ４からソースＤＵＥのブロードキャスト情報を受け取り続けるように、ＤＵＥ２から、ＤＵＥ２とソースＤＵＥとの伝送フレーム番号ステータス（SN  STATUS）を受信するとともに、伝送フレーム番号ステータスをＤＵＥ４に送信してもよい。
【００３９】
本開示の実施例によれば、配置ユニット２２０は、さらに、ＤＵＥ２とＤＵＥ４とのＤ２Ｄ通信を行うためのＨＡＲＱ（Hybrid  Automatic  Repeat  Request：ハイブリッド自動再送要求）を配置してもよい。具体的に、配置ユニット２２０は、例えばＨＡＲＱによるフィードバックの周波数などのパラメータを配置してもよく、例えばｎ個のトランスポートブロック（transport  block）対して一回のフィードバックを行うことを決め、ｎは１より大きい整数である。さらに、通信ユニット２１０は関連するＨＡＲＱ配置情報をＤＵＥ２及びＤＵＥ４に送信してもよい。
【００４０】
本開示の実施例によれば、配置ユニット２２０は、さらに、ＤＵＥ２にＤＵＥ４にアクセスするためのＤ２Ｄ通信接続支援情報を配置してもよい。Ｄ２Ｄ通信接続支援情報は例えばRA  preamble（Random  access  preamble：ランダムアクセスプリアンブル）、Ｄ２Ｄ  ＲＡＣＨ（Random  access  channel：ランダムアクセスチャンネル）リソースなどを含んでもよい。さらに、通信ユニット２１０は、支援情報をＤＵＥ２に送信してもよい。
【００４１】
本開示の実施例によれば、通信ユニット２１０は、ＲＲＣ（Radio  Resource  Control：無線リソース制御）シグナリングによりリソースとＭＣＳとを指示する情報を、ＤＵＥ２及びＤＵＥ４に送信してもよい。
【００４２】
以上で図２と組み合わせてクラスタヘッドＤＵＥ５としてのＵＥ  ２００の構成を記述した。次に、本開示の実施例による、クラスタ内の通常ＤＵＥとしてのＵＥの構成を記述する。図３には、クラスタ内の通常ＤＵＥとしての図１に示すＤＵＥ２のＵＥ  ３００の構成を示している。図３に示すように、ＵＥ  ３００は、少なくとも、通信ユニット３１０と制御ユニット３２０などを含んでもよい。
【００４３】
通信ユニット３１０は、第１のＵＥ例えば図１に示すＤＵＥ５（クラスタヘッドとされる）から、ＵＥ  ３００（例えば図１に示すＤＵＥ２）と第２のＵＥ（例えば図１に示すＤＵＥ４）との間にセルラー通信プロトコルでのＤ２Ｄ通信を行うためのリソースとＭＣＳとを指示する情報を受信することができる。
【００４４】
ＭＣＳ情報に基づいて、制御ユニット３２０は、伝送待ちデータに対して変調と符号化を行うことができる。
【００４５】
ここで、通信ユニット３１０は、リソースにより、変調と符号化された伝送待ちデータをＤＵＥ４を送信してＤ２Ｄ通信を行ってもよい。
【００４６】
図３に示すように、ＵＥ  ３００は、さらに測定ユニット３３０を含んでもよい。測定ユニット３３０は、ＵＥ３００（例えば図１に示すＤＵＥ２）とＤＵＥ４との間のリンク品質を測定してもよい。さらに、通信ユニット３１０は、リンク品質の指示情報を、クラスタヘッドとしてのＤＵＥ５に送信してもよい。
【００４７】
本開示の実施例によれば、ＵＥ３００（例えば図１に示すＤＵＥ２）はＤＵＥ４とＤ２Ｄ通信を行う前に、第３のＵＥ（例えば図１に示すソースＤＵＥ）とＤ２Ｄ通信を行ってもよい。この場合、測定ユニット３３０は、ＵＥ３００（例えば図１に示すＤＵＥ２）とソースＤＵＥとの間のリンク品質を測定してもよい。さらに、通信ユニット３１０は、リンク品質の指示情報をクラスタヘッドとしてのＤＵＥ５に送信してもよい。
【００４８】
本開示の実施例によれば、通信ユニット３１０は、クラスタヘッドとしてのＤＵＥ５から、ＵＥ  ３００（例えば図１に示すＤＵＥ２）とＤＵＥ４との間のリンク品質を測定するための測定配置情報と、ＵＥ３００（例えば図１に示すＤＵＥ２）とＤＵＥ４との間でのＤ２Ｄ通信のためのＨＡＲＱ配置情報と、ＤＵＥ４にアクセスするＤ２Ｄ通信接続支援情報との少なくとも一つを受信してもよい。
【００４９】
本開示の実施例によれば、通信ユニット３１０は、支援情報に基づいて、Ｄ２Ｄ  ＲＡＣＨによりＤ２Ｄ  RA  preambleをＤＵＥ４に送信してＤＵＥ４にアクセスするとともに、ＤＵＥ４からアクセス応答を受信してもよい。ここで、アクセス応答は伝送待ちデータに対するスケジューリング計画及びタイミングアドバンスの少なくとも一つを含んでもよい。この例示において、ＤＵＥ４にはスケジューラが設置されてもよく、クラスタヘッドに配置されたリソースとＭＣＳに応じて毎回の伝送に対して具体的なリソーススケジューリングを行ってもよく、例えばクラスタヘッドに配置されたリソースは若干の時間周波数リソースブロックであり、ＤＵＥ４におけるスケジューラは毎回に伝送されるデータが具体的にどのリソースブロックにより担持されるかを指定する。
【００５０】
本開示の実施例によれば、アクセス応答を受信した後に、通信ユニット３１０は、クラスタヘッドとしてのＤＵＥ５へ、ＤＵＥ４とのＤ２Ｄ通信の確立に成功した確認情報を送信するとともに、ソースＤＵＥから情報を受信することを停止してもよい。
【００５１】
本開示の実施例によれば、通信ユニット３１０は、Ｄ２ＤブロードキャストリンクによりソースＤＵＥからブロードキャスト情報を受信するとともに、ＵＥ３００（例えば図１に示すＤＵＥ２）とソースＤＵＥの伝送フレーム番号ステータスとをクラスタヘッドとしてのＤＵＥ５に送信し、ＤＵＥ５の支援でＤＵＥ４とユニキャストＤ２Ｄ通信を確立し、且つＤＵＥ４からブロードキャスト情報を受信し続けてもよい。注意することは、ＤＵＥ２がブロードキャスト情報を懸念しなくなる場合に、ソースＤＵＥと伝送フレーム番号ステータスとをＤＵＥ５に送信せず、相応的に、クラスタヘッドＤＵＥ５が目標ＤＵＥ４に伝送フレーム番号に関する情報を通知しなくてもよい。
【００５２】
図４と５とを組み合わせて本開示の実施例による、無線通信システムにおいて通信切替を行うプロセスを記述する。図４には、本開示の実施例による、基地局デバイスがカバーする範囲内の、Ｄ２Ｄブロードキャストからユニキャストへの切替フローを示しており、図５には、本開示の実施例による、基地局デバイスがカバーする範囲以外の、Ｄ２Ｄブロードキャストからユニキャストへの切替フローを示している。
【００５３】
従来のセルラーネットワークがカバーする範囲内の、Ｄ２Ｄブロードキャスト通信モードがＤ２Ｄユニキャスト通信モードに切り替えられる場合において、主なフローが以下とおりである。
【００５４】
１.  Ｄ２Ｄブロードキャスト通信にあるＤＵＥはそのブロードキャストリンクの品質が悪くなったことを検出すると、クラスタヘッド（ＣＨ）にこのメッセージを通知し、クラスタヘッドはＤＵＥと新目標ＤＵＥに相応する測定配置情報を送信する。
【００５５】
２.  ＤＵＥは測定配置情報を利用して相応する測定を行った後に、クラスタヘッドに測定報告を送信し、クラスタヘッドがこの報告に応じてＤ２Ｄ通信モード切替決定を行い、ｅＮＢ（evolution  Node  Base  Station：進化型ノード基地局）へ切替要求を送信する。
【００５６】
３.  ｅＮＢはＤＵＥ及び新目標ＤＵＥにリソースを割り当て、クラスタヘッドへ必要な情報を送信し、切り替えを確認する。
【００５７】
４.  クラスタヘッドはＤＵＥ及び新目標ＤＵＥに必要な配置情報を送信して、ＤＵＥが新目標ＤＵＥとの間のＤ２Ｄユニキャスト通信を確立することを支援する。
【００５８】
具体的に、図４に示すように、ステップ１において、ＤＵＥはＤ２Ｄブロードキャストリンク品質が悪くなったことを検出し、クラスタヘッドへ相応する情報を送信する。
【００５９】
次に、ステップ２において、クラスタヘッドが配置情報をＤＵＥに送信して相応する測定し、クラスタヘッドが新目標ＤＵＥを配置して参照信号を送信し、ＤＵＥ測定に供し、ここで、配置情報は、例えば参照信号を送信/受信するための物理リソース情報を含む。
【００６０】
次に、ステップ３において、ＤＵＥは相応する測定を行うとともに、測定報告をクラスタヘッドに送信する。
【００６１】
次に、ステップ４において、クラスタヘッド（ＣＨ）は、ＤＵＥが送信する測定報告と、クラスタ内の無線リソース管理の状況に応じて切替決定を作成する。
【００６２】
次に、ステップ５において、クラスタヘッドは、ｅＮＢへＤＵＥがＤ２Ｄユニキャスト通信を行う必要情報を持っているＳＷＩＴＣＨ  ＲＥＱＵＥＳＴ（切替要求）メッセージを送信する。当該情報は、例えば、ＤＵＥのＩＤ、新目標ＤＵＥのＩＤ、及び無線アクセスベアラコンテスト（E-RAB  context）を含んでもよく、主に必要な無線ネットワーク層（RNL）とトランスポートネットワーク層（TNL）のアドレッシング情報、無線アクセスベアラのＱｏＳ配置ファイルなどを含む。
【００６３】
次に、ステップ６において、ｅＮＢは承認制御を行う。具体的に、ｅＮＢは、ＣＨが送信する無線ベアラのＱｏＳ情報に応じて、その通信のために必要なリソースを保証できるかどうかを決定する。そして、ｅＮＢはＱｏＳ要求に応じてリソースを動的に割り当てる。また、新目標ＤＵＥが隣接セルに属する場合に、ｅＮＢはＸ２インタフェースを通じて新目標ＤＵＥのサービス基地局と交換し、リソースの割り当て問題を検討する必要がある。
【００６４】
次に、ステップ７において、ｅＮＢは切り替えを準備し、ＣＨへＳＷＩＴＣＨ  ＲＥＱＵＥＳＴ  ＡＣＫＮＯＷＬＥＤＧＥ（切替要求確認）メッセージを送信し、このメッセージはＤＵＥがＤ２Ｄ通信モード切替を行うために必要な情報を持っている。メッセージ内容には、主に、リソース割り当て保証、ＤＵＥと新目標ＤＵＥとのランダム接続の確立を行う一つのデフォルトＤ２Ｄ  ＲＡＣＨ  preamble、及び他のパラメータ例えばＤ２Ｄユニキャストのアクセスパラメータを含む。
【００６５】
次に、ステップ８において、クラスタヘッドは配置を行うとともに配置情報をＤＵＥ及び新目標ＤＵＥに送信する。具体的に、クラスタヘッドはmobilityControlInformationメッセージを含むＲＲＣConnectionReconfigurationメッセージを生成してもよい。メッセージ内容には、主に、リソース割り当て、変調符号化スキーム（ＭＣＳ）、Ｄ２ＤユニキャストのＨＡＲＱ等、及びSN  STATUS  TRANSFER（伝送フレーム番号ステータス）メッセージ、新目標ＤＵＥに送信されるＰＤＣＰ層上の伝送フレーム番号受信状態を含む。
【００６６】
注意することは、幾つかの例において、Ｄ２Ｄブロードキャスト通信において、ＨＡＲＱをサポートすることも可能であり、ＨＡＲＱ実体により時間リソースを連絡し、ＨＡＲＱ（再）伝送に対してブラインド整合を行う。従って、Ｄ２Ｄ通信がブロードキャストからユニキャストに切り替えられた場合、ＨＡＲＱを再配置して、その通信ニーズを満たす必要がある。
【００６７】
次に、ステップ９において、クラスタヘッドが送信するRRCConnectionReconfigurationメッセージ（mobilityControlInformationを含む）に応じて、ＤＵＥはＤ２Ｄランダムアクセスにて新目標ＤＵＥにアクセスし、ＤＵＥの新目標ＤＵＥ方向への同期を取得する。
【００６８】
次に、ステップ１０において、新目標ＤＵＥはＤＵＥへアクセス応答を送信する。送信情報内容には、ＳＡ（スケジューリング計画）、主に新目標ＤＵＥがどこで、いつ、どのようにＤ２Ｄ情報をＤＵＥに送信するかを指示するもの、及びＴＡ（タイミングアドバンス）を含んでよい。
【００６９】
次に、ステップ１１において、ＤＵＥが新目標ＤＵＥへのアクセスに成功した場合に、ＤＵＥはそれぞれＣＨと新目標ＤＵＥへRRCConnectionReconfigurationCompleteメッセージを送信して、Ｄ２Ｄ通信モード切替完了を確認する。この場合、新目標ＤＵＥは受信したRRCConnectionReconfigurationCompleteメッセージを検証し、それから、ＤＵＥへデータを送信してもよい。
【００７０】
最後に、ステップ１２において、ＤＵＥはＤ２Ｄブロードキャスト通信に関連するリソースを解放し、切替フローが完了する。
【００７１】
一方、従来のセルラーネットワークがカバーしない範囲内のＤ２Ｄブロードキャスト通信モードがＤ２Ｄユニキャスト通信モードに切り替えられる場合において、主なフローは以下の通りである。
【００７２】
１.  Ｄ２Ｄブロードキャスト通信にあるＤＵＥはそのブロードキャストリンク品質が悪くなったことを検出すると、クラスタヘッド（ＣＨ）にこのメッセージを通知し、すると、クラスタヘッドはＤＵＥと新目標ＤＵＥへ相応する測定配置情報を送信する。
【００７３】
２.  ＣＨはＤＵＥの測定報告に応じて通信モード切替の決定を行い、次に、事前配置（pre-configuration）に応じてリソースプールにおいてＤＵＥ及び新目標ＤＵＥに対してリソース割り当てを行う。
【００７４】
３.  取得した配置情報に応じて、ＤＵＥはＤ２Ｄブロードキャスト通信から新目標ＤＵＥとの間のユニキャスト通信への切り替えを図る。
【００７５】
具体的に、図５に示すように、ステップ１において、ＤＵＥはＤ２Ｄブロードキャストリンク品質が悪くなったことを検出し、クラスタヘッドへ相応する情報を送信する。
【００７６】
次に、ステップ２において、クラスタヘッドは測定制御を行う。具体的に、クラスタヘッドは配置情報をＤＵＥに送信して相応する測定を行う。さらに、クラスタヘッドは新目標ＤＵＥを配置して参照信号を送信し、ＤＵＥ測定に供する。
【００７７】
次に、ステップ３において、ＤＵＥは相応する測定を行うとともに、測定報告をクラスタヘッドに送信する。
【００７８】
次に、ステップ４において、クラスタヘッド（ＣＨ）は、ＤＵＥが送信する測定報告と、クラスタ内無線リソース管理の状況に応じて切替決定を出す。
【００７９】
次に、ステップ５において、クラスタヘッドは承認制御を行う。具体的に、ＣＨは、受信した無線ベアラのＱｏＳ情報に応じて、事前配置のリソースプールにおいてその通信のために必要なリソースを保証できるかどうかを決める。それから、ＣＨはＱｏＳ要求及び事前配置リソースプールにおける状況に応じて、リソースを割り当てる。
【００８０】
次に、ステップ６において、クラスタヘッドはＤＵＥ及び新目標ＤＵＥに対して配置を行う。具体的に、クラスタヘッドはmobilityControlInformationメッセージを含むRRCConnectionReconfigurationメッセージを生成する。メッセージ内容には、リソース割り当て、変調符号化スキーム（ＭＣＳ）、Ｄ２ＤユニキャストのＨＡＲＱ等、及びSN  STATUS  TRANSFER（伝送フレーム番号ステータス）メッセージ、新目標ＤＵＥに送信されるＰＤＣＰ層上のフレーム番号受信ステータスを含む。
【００８１】
注意することは、Ｄ２Ｄブロードキャスト通信においてＨＡＲＱをサポートすることも可能であり、ＨＡＲＱ実体により時間リソースを連絡し、ＨＡＲＱ（再）伝送に対してブラインド整合を行う。従って、Ｄ２Ｄ通信がブロードキャストからユニキャストに切り替えられた場合に、ＨＡＲＱを再配置を行って、その通信ニーズを満たす必要がある。
【００８２】
次に、ステップ７において、クラスタヘッドが送信するRRCConnectionReconfigurationメッセージ（mobilityControlInformationを含む）に応じて、ＤＵＥはＤ２Ｄランダムアクセスにて新目標ＤＵＥにアクセスし、ＤＵＥの新目標ＤＵＥ方向への同期を取得する。
【００８３】
次に、ステップ８において、新目標ＤＵＥはＤＵＥへアクセス応答を送信する。送信情報内容には、ＳＡ（スケジューリング計画）、主に新目標ＤＵＥがどこで、いつ、どのようにＤ２Ｄ情報をＤＵＥに送信するかを指示するもの、及びＴＡ（タイミングアドバンス）を含む。
【００８４】
次に、ステップ９において、ＤＵＥが新目標ＤＵＥへのアクセスに成功した場合に、ＤＵＥはＣＨと新目標ＤＵＥへそれぞれRRCConnectionReconfigurationCompleteメッセージを送信して、Ｄ２Ｄ通信モード切替完了を確認する。この場合、新目標ＤＵＥは受信したＲＲＣConnectionReconfigurationCompleteメッセージを検証し、それから、ＤＵＥへデータを送信してもよい。
【００８５】
最後に、ステップ１０において、ＤＵＥはＤ２Ｄブロードキャスト通信に関連するリソースを解放し、切替フローが完了する。
【００８６】
以上で、Ｄ２Ｄブロードキャスト通信モードがＤ２Ｄユニキャスト通信モードに切り替えられた場合を記述した。次に、近距離Ｄ２Ｄ通信モードが従来のセルラー通信モードに切り替えられる場合を記述する。
【００８７】
図６には、Ｄ２Ｄ通信モードからセルラー通信モードへの切り替えの場合を示している。図６に示すように、スレーブＤ２Ｄユーザー（スレーブＤＵＥ）がＤ２Ｄ通信モードにあり、ＬＴＥ-ＤＥＴＡＣＨ状態にある。クラスタ全体が強い移動性を有する場合に（例えば高速鉄道の場合）、スレーブＤＵＥが基地局とリンクを保持すると、大きいシグナリングオーバーヘッドにつながる。スレーブＤＵＥがＬＴＥ-ＤＥＴＡＣＨ状態にし、クラスタヘッドのみと制御リンクを保持すると、不必要なシグナリングオーバーヘッドを節約することができる。
【００８８】
本実施例において、スレーブＤＵＥとは、一つの近距離Ｄ２Ｄ通信クラスタ内の、そのサービス基地局とセルラーリンクを保持しないＵＥである。クラスタヘッドとは、一つの近距離Ｄ２Ｄ通信クラスタ内の、そのサービス基地局とセルラーリンクを保持するＵＥである。また、目標基地局とは、スレーブＤＵＥが切替過程で接続する目標基地局である。
【００８９】
本開示の発明者が知っているクラスタヘッド支援無しの従来の切替フローにおいて、セルサーチとセル選択がスレーブＤＵＥにより行われるので、一般にかかる時間が長くなり、且つネットワークとＵＥとの間に多くのシグナリングオーバーヘッドがある。
【００９０】
従来の切替フローにおいてネットワークとＵＥとの間に多くのシグナリングオーバーヘッドがある問題を克服するために、本開示は、クラスタヘッドの支援機能を増強できる、無線通信システムにおけるＵＥ側の電子機器を提供することで、ネットワークとスレーブＤＵＥとの間のシグナリングオーバーヘッドを減少させる。
【００９１】
図７には、本開示の他の一つの実施例によるＵＥ  ８００の構成を示している。ＵＥ８００は、図６に示すクラスタヘッドとしてもよい。図７に示すように、ＵＥ  ８００は少なくとも測定ユニット８１０、予測ユニット８２０等を含んでもよい。
【００９２】
測定ユニット８１０は、潜在的なセルリストに含まれる基地局デバイスに対して測定を行ってもよい。潜在的なセルリスト（PotentialCellList）にはスレーブＤＵＥの潜在的な目標セルが記憶されており、それにはクラスタヘッドのソース基地局、スレーブＤＵＥに記憶されているセル、クラスタヘッドに記憶されているセル及び隣接セルなどを含んでもよい。
【００９３】
測定ユニット８１０の測定結果に基づいて、予測ユニット８２０は、Ｄ２Ｄ通信を行うＵＥクラスタにおけるスレーブＤＵＥに目標基地局デバイスを予測してもよい。
【００９４】
本開示の実施例によれば、クラスタヘッドの支援機能が増強されたので、ネットワークとスレーブＤＵＥとの間のシグナリングオーバーヘッドを減少させることができる。
【００９５】
図７に示すように、ＵＥ  ８００は、さらに、第１の受信ユニットとしての受信ユニット８３０を含んでもよい。受信ユニット８３０は、スレーブＤＵＥから、Ｄ２Ｄ通信モードから従来のセルラー通信モードへの切り替えを指示する切替要求情報を受信してもよい。ここで、切替要求情報は潜在的なセルリストに関する情報を含んでもよい。
【００９６】
さらに、図７に示すように、ＵＥ  ８００は、さらに、第１送信ユニットとしての送信ユニット８４０と、第２の受信ユニットとしての受信ユニット８５０と、第２の送信ユニットとしての送信ユニット８６０とを含んでもよい。
【００９７】
送信ユニット８４０は、基地局デバイスへランダムアクセスプリアンブル情報を送信してもよい。
【００９８】
次に、受信ユニット８５０は、基地局デバイスから、ランダムアクセス応答情報を受信してもよい。
【００９９】
ランダムアクセス応答情報に基づいて、送信ユニット８６０はスレーブＤＵＥへ切替応答情報を送信してもよい。
【０１００】
本開示の実施例によれば、ランダムアクセス応答情報が、アクセスが成功しないことを指示する場合に、予測ユニット８１０は、アクセスに成功するまでに、潜在的なセルリストに含まれる残りの基地局デバイスから更なる目標基地局デバイスを予測してもよい。
【０１０１】
本開示の実施例によれば、潜在的なセルリストに含まれる全ての基地局デバイスが、全部アクセスが成功しない場合に、送信ユニット８６０は、スレーブＤＵＥへ、従来の、Ｄ２Ｄ通信モードから従来のセルラー通信モードへの切り替えを行うように指示する情報を送信してもよい。
【０１０２】
本開示の実施例によれば、受信ユニット８３０から切替要求情報を受信してから予定の時間が経過した後にランダムアクセス応答情報が依然としてアクセスが成功しないことを指示した場合に、送信ユニット８６０は、スレーブＤＵＥへ、従来の、Ｄ２Ｄ通信モードから従来のセルラー通信モードへの切り替えを行うように指示する情報を送信してもよい。
【０１０３】
図８と組み合わせて、本開示の他の一実施例による、無線通信システムにおいて通信切替を行うプロセスを記述する。図８には、本開示の他の一実施例による、クラスタヘッド支援での、Ｄ２Ｄ通信モードから従来のセルラー通信モードへの切替フローを示している。
【０１０４】
クラスタヘッド支援での、Ｄ２Ｄ通信モードから従来のセルラー通信モードへの場合において、基本的フローは以下の通りである。
【０１０５】
１.  スレーブＤＵＥがクラスタヘッドの支援により目標セルに接続され、クラスタヘッドは仮想ランダムアクセスによって、スレーブＤＵＥが快速な転換を達成するのを助けることができる。
【０１０６】
２.  支援するランダムアクセスに成功すると、クラスタヘッドはシステム情報を収集し、スレーブＤＵＥに、目標基地局が送信したシステム情報により、目標基地局と接続することが可能であることを通知することができる。
【０１０７】
３.  切替支援タイマがオーバフローする前、又は切替支援閾値以内で、クラスタヘッドがランダムアクセスを支援することに失敗すると、スレーブＤＵＥは従来のクラスタヘッド支援無しの切替フローをトリガーする。
【０１０８】
具体的に、図８に示すように、ステップ０において、スレーブＤＵＥとクラスタヘッドとの間にセルラー通信と類似するＤ２Ｄ通信を行うとともに、クラスタヘッドと基地局との間に従来のセルラー通信リンクが存在する。
【０１０９】
次に、ステップ１において、レーブＤＵＥがＤ２Ｄモードからセルラーモードへ切り替えしたことを表すように、スレーブＤＵＥはクラスタヘッドswitch  request（切替要求）を送信する。ここで、スレーブＤＵＥに、クラスタヘッドの支援時間を指示するための一つのswitchAssistanceTimer(切替支援タイマ)が設置される。タイマがオーバフローする前に、スレーブＤＵＥがクラスタヘッドの切替応答を受信しないと、スレーブＤＵＥが従来の切り替えをトリガーする。スレーブＤＵＥが送信したswitch  request(切替要求)にはＤ２Ｄ通信する前の無線ベアラ情報が記憶されたセル情報リストを含む。
【０１１０】
次に、ステップ２において、クラスタヘッドは切替フローを準備する。具体的に、基地局の測定（潜在的なセルリストからのものである）に応じて、クラスタヘッドは、スレーブＤＵＥにとって最適な目標基地局を予測できる。クラスタヘッドはスレーブＤＵＥに対する支援情報を記憶するためのswitchAssitanceInformation(切替支援情報)を管理してもよい。また、クラスタヘッドはSwitchAssistanceThreshold(切替支援閾値)をカウントしてもよい。SwitchAssistanceThreshold  =  |PotentialCellList|(潜在的なセルリストにおけるセル数)となる場合、クラスタヘッドがランダムアクセスの支援を完了できないと、クラスタヘッドはスレーブＤＵＥに従来の切替フローを開始することを通知する。
【０１１１】
次に、ステップ３において、クラスタヘッドは目標基地局へRA  Preamble（ランダムアクセスプリアンブル）を送信する。
【０１１２】
次に、ステップ４において、目標基地局はアドミッション制御（admission  control）を行う。
【０１１３】
次に、ステップ５において、目標基地局はクラスタヘッドへランダムアクセス応答（RA  Response）を送信する。具体的に、クラスタヘッドはRA  Responseを受信するとともに、UL  Grant（アップリンクグラント）と、timing  advance  indication（タイミングアドバンス指示）と、temporary  C-RNTI（一時的セル無線ネットワーク一時識別子）とを、switchAssitanceInformation（切替支援情報）に記憶する。
【０１１４】
次に、ステップ６において、クラスタヘッドはスレーブＤＵＥへswitchAssitanceInformationが含まれるswitch  response（切替応答）を送信する。切替応答の内容は、例えば、UL  Grant、Timing  advance  indication、セル情報（例えばPLMN（Public  Land  Mobile  Network：公衆陸上移動ネットワーク）、セルID、キャリア周波数、MIB、SIBにおける従来のシステム情報等）、temporary  C-RNTI等を含んでもよい。
【０１１５】
次に、ステップ７において、スレーブＤＵＥと目標基地局との間でＲＲＣプロセスを行う。具体的に、スレーブＤＵＥは、目標基地局へRRCConnectionRequest(ＲＲＣ接続要求)を送信してもよい。それから、目標基地局はスレーブＤＵＥへRRCConnectionSetup(ＲＲＣ接続設定)を送信してもよい。この後、スレーブＤＵＥは目標基地局へRRCConnectionSetupComplete(ＲＲＣ接続設定完了)を送信してもよい。
【０１１６】
次に、ステップ８において、目標基地局はクラスタヘッドへユーザーコンテキストの解放（ＵＥ  context  release）のシグナリングを送信してもよい。ここで、目標基地局がクラスタヘッドに切り替えに成功したことを通知し、クラスタヘッドがリソースの解放をトリガーする。
【０１１７】
次に、ステップ９において、クラスタヘッドは、モード切替のスレーブＤＵＥに関する無線リソース、ユーザーデータ平面リソース、及び制御データ平面リソースであるＤ２Ｄリソースを解放する。
【０１１８】
次に、ステップ１０において、クラスタヘッドはスレーブＤＵＥへ切替要求承認（switch  request  Acknowledge）を送信する。この際、スレーブＤＵＥはswitch  request  Acknowledgeを受信し、切り替えに成功したことを示す。
【０１１９】
次に、無線通信システムにおいて無線通信を行うための方法を記述する。当該方法は、前記無線通信システムにおけるＵＥ側の電子機器により、複数のＵＥとセルラー通信プロトコルでのＤ２Ｄ通信を行って、前記複数のＵＥへデータ及び／又は制御情報を直接送信し、前記複数のＵＥにおける第１のＵＥ及び前記第１のＵＥがＤ２Ｄ通信を行う候補対象である第２のＵＥに、前記第１のＵＥと前記第２のＵＥとの間でＤ２Ｄ通信を行うためのリソースとＭＣＳとを配置し、前記リソースと前記ＭＣＳとを指示する情報を前記第１のＵＥおよび前記第２のＵＥに送信することを含む。
【０１２０】
好ましくは、第１のＵＥから、第１のＵＥと第２のＵＥとの間のリンク品質を指示する指示情報を受信するとともに、指示情報が指示するリンク品質が予定条件を満足する場合に、第１のＵＥと前記第２のＵＥとの間でＤ２Ｄ通信を行うためのリソースとＭＣＳとを配置してもよい。
【０１２１】
好ましくは、電子機器が基地局デバイスのサービス範囲以内にある場合に、第１のＵＥが第２のＵＥとＤ２Ｄ通信を行うことを指示する切替要求情報を、基地局デバイスに送信するとともに、基地局デバイスから、第１のＵＥと第２のＵＥとの間のＤ２Ｄ通信のためのリソース割り当て情報を含む切替要求確認情報を受信し、且つ少なくとも切替要求確認情報に基づいて配置してもよい。
【０１２２】
好ましくは、電子機器が基地局デバイスのサービス範囲以外である場合に、予定のＤ２Ｄ通信リソースプールからリソースを選択して配置してもよい。
【０１２３】
好ましくは、第１のＵＥから、第１のＵＥと第３のＵＥとの間のリンク品質を指示する指示情報を受信し、且つ予定条件は、少なくとも、第１のＵＥと第２のＵＥとの間のリンク品質が第１のＵＥと第３のＵＥとの間のリンク品質よりも良いことを含んでもよい。
【０１２４】
好ましくは、第１のＵＥ及び／又は第２のＵＥから、第３のＵＥが第１のＵＥと第２のＵＥのブロードキャスト情報ソースであることを指示する情報を受信し、予定条件を満足する場合に、第１のＵＥと第２のＵＥとがユニキャストＤ２Ｄ通信を行うことを特定し、且つ第１のＵＥから、第１のＵＥと第３のＵＥとの伝送フレーム番号ステータスを受信するとともに、第１のＵＥが第２のＵＥから第３のＵＥのブロードキャスト情報を受け取り続けるように、伝送フレーム番号ステータスを第２のＵＥに送信してもよい。
【０１２５】
好ましくは、第１のＵＥと第２のＵＥとのＤ２Ｄ通信を行うためのハイブリッド自動再送要求ＨＡＲＱをさらに配置するとともに、関連するＨＡＲＱ配置情報を、第１のＵＥ及び第２のＵＥに送信してもよい。
【０１２６】
好ましくは、さらに、第１のＵＥに、第２のＵＥにアクセスするためのＤ２Ｄ通信接続支援情報を配置するとともに、支援情報を第１のＵＥに送信してもよい。
【０１２７】
好ましくは、ＲＲＣシグナリングにより、リソースとＭＣＳとを指示する情報を第１のＵＥ及び第２のＵＥに送信してもよい。
【０１２８】
次に、他の一種の無線通信システムにおいて無線通信を行うための方法を記述する。当該方法は、前記無線通信システムにおけるＵＥ側の電子機器により、第１のＵＥから、前記電子機器と第２のＵＥとの間でセルラー通信プロトコルでのＤ２Ｄ通信を行うためのリソースとＭＣＳとを指示する情報を受信し、前記ＭＣＳ情報に基づいて、伝送待ちデータに対して変調・符号化を行い、変調・符号化された伝送待ちデータを、前記リソースにより前記第２のＵＥを送信して前記Ｄ２Ｄ通信を行うことを含む。
【０１２９】
好ましくは、当該方法は、電子機器と第２のＵＥとの間のリンク品質を測定するとともに、リンク品質の指示情報を第１のＵＥに送信することをさらに含んでもよい。
【０１３０】
好ましくは、電子機器は第２のＵＥとＤ２Ｄ通信を行う前に第３のＵＥとＤ２Ｄ通信を行い、電子機器と第３のＵＥとの間のリンク品質を測定するとともに、リンク品質の指示情報を第１のＵＥに送信してもよい。
【０１３１】
好ましくは、第１のＵＥから、電子機器と第２のＵＥとの間のリンク品質を測定するための測定配置情報と、電子機器と第２のＵＥとの間のＤ２Ｄ通信のためのハイブリッド自動再送要求ＨＡＲＱ配置情報と、第２のＵＥにアクセスするＤ２Ｄ通信接続支援情報との少なくとも一つを受信してもよい。
【０１３２】
好ましくは、支援情報を第２のＵＥに送信して第２のＵＥにアクセスするとともに、第２のＵＥから、伝送待ちデータに対するスケジューリング計画及びタイミングアドバンスの少なくとも一つを含むアクセス応答を受信してもよい。
【０１３３】
好ましくは、アクセス応答を受信した後、第１のＵＥへ、第２のＵＥとのＤ２Ｄ通信の確立に成功した確認情報を送信するとともに、第３のＵＥから情報を受信することを停止してもよい。
【０１３４】
好ましくは、Ｄ２Ｄブロードキャストリンクにより第３のＵＥからブロードキャスト情報を受信するとともに、電子機器と第３のＵＥとの伝送フレーム番号ステータスを第１のＵＥに送信し、第１のＵＥの支援で第２のＵＥとユニキャストＤ２Ｄ通信を確立し、且つ第２のＵＥからブロードキャスト情報を受信し続けてもよい。
【０１３５】
次に、他の一種の無線通信システムにおいて無線通信を行うための方法を記述する。当該方法は、無線通信システムにおけるＵＥ側の電子機器により、潜在的なセルリストに含まれる基地局デバイスを測定し、測定された結果に基づいて、Ｄ２Ｄ通信を行うＵＥクラスタにおけるＵＥに目標基地局デバイスを予測することを含む。
【０１３６】
好ましくは、当該方法は、ＵＥから、Ｄ２Ｄ通信モードから従来のセルラー通信モードへの切り替えを指示する、潜在的なセルリストに関する情報を含む切替要求情報を受信することをさらに含んでもよい。
【０１３７】
好ましくは、当該方法は、目標基地局デバイスへランダムアクセスプリアンブル情報を送信し、目標基地局デバイスからランダムアクセス応答情報を受信し、ランダムアクセス応答情報に基づいて、ＵＥへ切替応答情報を送信することをさらに含んでもよい。
【０１３８】
好ましくは、ランダムアクセス応答情報が、アクセスが成功しないことを指示した場合に、アクセスに成功するまでに、潜在的なセルリストに含まれる残りの基地局デバイスから更なる目標基地局デバイスを予測してもよい。
【０１３９】
好ましくは、潜在的なセルリストに含まれる全ての基地局デバイスが、全部アクセスが成功しない場合に、ＵＥへ、従来の、Ｄ２Ｄ通信モードから従来のセルラー通信モードへの切り替えを行うように指示する情報を送信してもよい。
【０１４０】
好ましくは、切替要求情報を受信してから予定の時間が経過した後にランダムアクセス応答情報が依然としてアクセスが成功しないことを指示した場合に、ＵＥへ、従来の、Ｄ２Ｄ通信モードから従来のセルラー通信モードへの切り替えを行うように指示する情報を送信してもよい。
【０１４１】
本開示の実施例による、無線通信システムにおいて無線通信を行うための方法の上記各々のステップの各種の具体的な実施形態ついては、以上で既に詳細に記述されたので、ここで説明を重複しない。
【０１４２】
本開示の実施例によれば、処理回路を含む電子機器をさらに提供し、当該処理回路は、複数のＵＥとセルラー通信プロトコルでのＤ２Ｄ通信を行って、前記複数のＵＥへデータ及び／又は制御情報を直接送信するように配置される操作、前記複数のＵＥのうち、第１のＵＥと、前記第１のＵＥがＤ２Ｄ通信を行う候補対象である第２のＵＥに、前記第１のＵＥと前記第２のＵＥとの間でＤ２Ｄ通信を行うためのリソースとＭＣＳを配置する操作、及び前記リソースと前記ＭＣＳを指示する情報を、前記第１のＵＥ及び前記第２のＵＥに送信する操作とを、実行するように配置される。
【０１４３】
本開示の実施例によれば、処理回路を含む電子機器を提供し、当該処理回路は、第１のＵＥから、前記電子機器と第２のＵＥとの間でセルラー通信プロトコルでのＤ２Ｄ通信を行うためのリソースとＭＣＳを指示する情報を受信する操作と、前記ＭＣＳ情報に基づいて、伝送待ちデータに対して変調と符号化を行う操作と、変調符号化された伝送待ちデータを、前記リソースにより前記第２のＵＥを送信して前記Ｄ２Ｄ通信を行う操作とを、実行するように配置される。
【０１４４】
本開示の実施例によれば，処理回路を含む電子機器を提供し、当該処理回路は、潜在的なセルリストに含まれる基地局デバイスを測定する操作、測定された結果に基づいて、Ｄ２Ｄ通信を行うＵＥクラスタにおけるＵＥに目標基地局デバイスを予測する操作とを、実行するように配置される。
【０１４５】
上記電子機器は、さらに以上に記載の本開示の他の技術案を実行することも可能であることは当然であり、簡潔にするために、ここで一つ一つ重複しない。
【０１４６】
もちろん、本開示による、無線通信システムにおいて無線通信を行うための方法のそれぞれの操作プロセスは各種の機器読み取り可能な記憶媒体に記憶されているコンピュータが実行可能なプロセスにより実現されることが可能である。
【０１４７】
そして、本開示の目的は以下の形態により実現されることが可能である。上記実行可能なプログラムコードが記憶されている記憶媒体をシステム又はデバイスに直接又は間接に提供し、且つ、当該システム又はデバイスにおけるコンピューター又は演算処理ユニット（CPU）が上記プログラムコードを読み出し実行する。この際、当該システム又はデバイスがプログラムを実行する機能を有する限り、本開示の実施形態はプログラムに限定されず、当該プログラムは任意の形式、例えば、目標プログラム、インタープリターが実行するプログラム、又はオペレーティングシステムに提供するスクリプトプログラム等であってもよい。
【０１４８】
上記のこれらの機器が読み取り可能な記憶媒体は、各種のメモリと記憶ユニット、半導体デバイス、ディスクユニット例えば光ディスク、磁ディスク、光磁気ディスク、及び他の情報を記憶するのに適する媒体等を含むがこれらに限定されるものではない。
【０１４９】
また、コンピューターはインターネットの相応するネットワークに接続し、且つ本開示によるコンピュータープログラムコードをダウンロードしてコンピューターにインストールした上で当該プログラムを実行することで、本開示の技術案を図ることができる。
【０１５０】
図９は、本開示の実施例による、無線通信システムにおいて無線通信を行うための方法を実現できる汎用のパソコンの例示的構成のブロック図である。
【０１５１】
図９に示す、ＣＰＵ１３０１は、読取専用メモリ（ＲＯＭ）１３０２に記憶されているプログラム或いは記憶部１３０８からランダムアクセスメモリ（ＲＡＭ）１３０３にロードしたプログラムに基づいて、各種の処理を実行する。ＲＡＭ１３０３にも、必要に応じてＣＰＵ１３０１が各種の処理等を実行する際に必要なデータが記憶される。ＣＰＵ１３０１、ＲＯＭ１３０２、ＲＡＭ１３０３は、バス１３０４を介して互いに接続されている。入力/出力インターフェース１３０５もバス１３０４に接続されている。
【０１５２】
入力部１３０６（キーボード、マウス等を含む）、出力部１３０７（ディスプレイ、例えば陰極線管（ＣＲＴ）、液晶ディスプレイ（ＬＣＤ）等、スピーカ等を含む）、記憶部１３０８（ハードディスク等を含む）、通信部１３０９（ネットワークインターフェースカード、例えばＬＡＮカード、モデム等を含む）は、入力/出力インターフェース１３０５に接続されている。通信部１３０９は、ネットワーク、例えばインターネットを介して、通信処理を実行する。必要に応じて、ドライバー１３１０も入力/出力インターフェース１３０５に接続されている。リムーバブルメディア１３１１、例えばディスク、光ディスク、光磁気ディスク、半導体メモリ等は、必要に応じてドライバー１３１０に装着され、その中から読み出したコンピュータプログラムが必要に応じて記憶部１３０８にインストールされるようにする。
【０１５３】
ソフトウェアで上記一連の処理を実現する場合、ネットワーク、例えばインターネット或いは記憶装置、例えばリムーバブルメディア１３１１から、ソフトウェアを構成するプログラムをインストールする。
【０１５４】
当業者であれば、この種の記憶媒体は、図９に示す、プログラムが記憶されており、デバイスと独立して配分してユーザにプログラムを提供するリムーバブルメディア１３１１に限定されないことが理解できる。リムーバブルメディア１３１１の例は、磁気ディスク（フロッピーディスク（登録商標））、光ディスク（光ディスク読取専用メモリ（ＣＤ−ＲＯＭ）とデジタル多用途ディスク（ＤＶＤ）を含む）、光磁気ディスク（ミニディスク（ＭＤ）（登録商標）を含む）、半導体メモリを含む。又は、記憶媒体は、ＲＯＭ１３０２、記憶部１３０８に含まれるハードディスク等であってもよく、その中にプログラムが記憶されており、且つこれらを含む装置とともにユーザに配分される。
【０１５５】
前記のように、本開示は、無線通信システムにおけるユーザー機器側の電子機器と無線通信システムにおいて無線通信を行うための方法を提供し、クラスタヘッドの支援作用が増強されるようにする。
【０１５６】
本開示の以上のように記載される設計によれば、スレーブＤＵＥについては、例えばセルサーチ、セル再選択、ランダムアクセス等の多くのフローを回避することができるので、シグナリングオーバーヘッドを減少させるとともに、Ｄ２Ｄモードから従来のセルラーモードへの切り替えをより早く実現することができる。
【０１５７】
本開示のシステムと方法において、各部品又は各ステップは分割及び/又は再組み合わせることが可能であることが勿論である。これらの分割及び/又は再組み合わせは本発明の等価方案と見なすべきである。そして、上記一連の処理を実行するステップは、自然に説明の順で時間順に従って実行されるが、必ず時間順に従って実行される必要がない。あるステップは並行又は独立に実行されることが可能である。
【０１５８】
以上、図面を組み合わせて本発明の実施例を詳細に記述したが、以上で記述された実施形態は、本発明を説明するためのものであり、限定するのではない。当業者にとって、上記実施形態について、各種の修正、変更を行うことが可能で、本発明の本質と範囲から逸脱しない。従って、本発明の範囲は付随する特許請求の範囲及び均等の意味のみに限定される。
【図１】
0006540717.tif 000002
【図２】
0006540717.tif 000003
【図３】
0006540717.tif 000004
【図４】
0006540717.tif 000005
【図５】
0006540717.tif 000006
【図６】
0006540717.tif 000007
【図７】
0006540717.tif 000008
【図８】
0006540717.tif 000009
【図９】
0006540717.tif 000010